(57)【特許請求の範囲】
【請求項１】
弾性材で成形されて、ユニットバスのパネルの配管穴部から突出した配管の廻りの隙間を塞いで止水するための止水部材であって、
前記止水部材は、
前記配管の突出部の外周を囲んで、その先端開口部の内周面が前記配管の外周面に密着する略筒状をした止水部材本体部と、
前記止水部材本体部の基端開口部において、前記基端開口部の外周側に基端開口部を囲んだ状態で複数個のビス挿通穴を有するように前記本体部と一体成形されて、前記パネルに対して一体に取付けられる座板部とから成り、
前記座板部には、座板部の外形よりも僅かに小さい相似小形の外形をなすと共に前記座板部のビス挿通穴との対応位置にビス挿通穴を形成した補強板金が、その外周縁を前記座板部の外周縁で覆われて埋設されていることを特徴とするユニットバスの配管廻りの止水部材。
【請求項２】
前記止水部材本体部の先端開口部の内径は、前記配管の外径よりも僅かに小さくなっていることを特徴とする請求項１に記載のユニットバスの配管廻りの止水部材。
【請求項３】
前記止水部材本体部は、段付形状、或いは蛇腹形状になっていることを特徴とする請求項１又は２に記載のユニットバスの配管廻りの止水部材。
【請求項４】
前記補強板金は、座板部の形状に対応した略リング状に成形されていることを特徴とする請求項１ないし３のいずれかに記載のユニットバスの配管廻りの止水部材。
【請求項５】
前記座板部の裏面の周縁部には、前記パネルに密着するリップが全周に亘って設けられていることを特徴とする請求項１ないし４のいずれかに記載のユニットバスの配管廻りの止水部材。
【請求項６】
前記座板部の裏面には、前記止水部材本体部の基端開口部を外周側から囲むように突起が設けられていることを特徴とする請求項１ないし５のいずれかに記載のユニットバスの配管廻りの止水部材。
【請求項７】
前記座板部は、床パネルに密着される水平座板部と、壁パネルに密着される垂直座板部とが一体となった構成であることを特徴とする請求項１ないし６のいずれかに記載のユニットバスの配管廻りの止水部材。
【請求項８】
請求項１ないし７のいずれかに記載の止水部材を使用して、ユニットバスのパネルの配管穴部から突出した配管の廻りの隙間を塞いで止水する構造であって、
前記止水部材の先端開口部の内周面が前記配管の外周面に密着するようにして、前記配管の突出部の外周が前記止水部材によって囲まれ、
しかも、前記止水部材の基端部に形成された座板部は、前記床パネルに対して前記ビス挿通穴に挿通された複数本のビスを介して一体に取付けられていることを特徴とするユニットバスの配管廻りの止水構造。
【発明の詳細な説明】
【０００１】
【発明の属する技術分野】
本発明は、ユニットバスのパネルの配管穴部から突出した配管の廻りの隙間を止水するための止水部材、及び止水構造に関するものである。
【０００２】
【従来の技術】
従来、上記した配管廻りを止水するには、図１７及び図１８に示されるように、床パネルＦに開けられた配管穴部Ｈに給水管Ｐ1(給湯管Ｐ2)を挿通して立ち上げ、幅方向の途中まで切込み９１ａが入れられた粘着テープ９１を、前記給水管Ｐ1(給湯管Ｐ2)と前記配管穴部Ｈとの間の隙間を塞ぐべく、該給水管Ｐ1(給湯管Ｐ2)の全周に数回積層させて貼り付けて、該粘着テープ９１の上をシーリング材９２によって覆うことにより、前記給水管Ｐ1(給湯管Ｐ2)との廻りの水密を保持していた。
【０００３】
しかし、上記の施工方法では、施工のバラツキ、或いは前記シーリング材９２の耐久性不足が主原因となって、経年使用により、前記給水管Ｐ1(給湯管Ｐ2)の廻りから漏水するという問題があった。また、施工そのものは正確になされても、前記給水管Ｐ1(給湯管Ｐ2)は、その給水、或いは給湯の開始又は停止時において、流れる水或いは湯によって配管が大きな力を受けて揺動する「ウォーターハンマー現象」が生じることがあり、この現象が反復して生じると、前記シーリング材９２が部分的に破断して、漏水するという問題もあった。
【０００４】
【発明が解決しようとする課題】
本発明の課題は、施工が簡単であって、ユニットバスの配管廻りの止水を確実に行える止水部材、及び止水構造の提供である。
【０００５】
【課題を解決するための手段】
上記課題を解決するための本発明は、弾性材で成形されて、ユニットバスのパネルの配管穴部から突出した配管の廻りの隙間を塞いで止水するための止水部材であって、前記止水部材は、前記配管の突出部の外周を囲んで、その先端開口部の内周面が前記配管の外周面に密着する略筒状をした止水部材本体部と、前記止水部材本体部の基端開口部において、前記基端開口部の外周側に基端開口部を囲んだ状態で複数個のビス挿通穴を有するように前記本体部と一体成形されて、前記パネルに対して一体に取付けられる座板部とから成り、前記座板部には、座板部の外形よりも僅かに小さい相似小形の外形をなすと共に前記座板部のビス挿通穴との対応位置にビス挿通穴を形成した補強板金が、その外周縁を前記座板部の外周縁で覆われて埋設されていることを特徴としている。
【０００６】
上記止水部材は、その取付時に、パネルの配管穴部から浴室内に突出する配管を、止水部材本体部の基端開口部から先端開口部に向けて差し込んで、該止水部材本体部の基端部に一体成形された座板部をパネルに密着させて、これに一体に取付ける。座板部は、内部に補強板金が埋設されているために、取付時の締付力が補強板金を介して座板部に伝わる。これにより、止水部材本体部の先端開口部においては、その内周面が配管の外周面に密着すると共に、その基端開口部においては、その外周部に一体成形された座板部がパネルに密着するために、パネルに開けられた前記配管穴部と配管の突出部との部分において、止水部材によって、その内外の水密が確実に保持される。
【０００７】
また、止水部材が弾性材で成形されて、可撓性を有しているために、パネルに設けられた配管穴部と、これに挿入される配管との施工上のバラツキが効果的に吸収されるので、多少の施工上のバラツキがあっても、前記配管穴部の部分におけるユニット内外の水密を確実に保持できる。また、「ウォーターハンマー現象」に対しては、止水部材の可撓性によって、配管の揺動が効果的に吸収される。このため、個々の施工者の施工バラツキ、或いは「ウォーターハンマー現象」が発生しても、パネルの配管穴部の部分におけるユニットバス内外の水密が保持される。
【０００８】
ここで、請求項２の発明のように、止水部材本体部の先端開口部の内径を、該開口部に差し込まれる配管の外径よりも僅かに小さくすると、弾性材から成る止水部材本体部の先端部は、僅かに内径が大きくなるように弾性変形した状態で、配管の外周面に弾接するので、該部分の止水性が高まる。また、請求項３の発明のように、筒状をした止水部材本体部を段付形状、或いは蛇腹形状に成形すると、止水部材本体部が変形し易くなって、パネルに設けられた配管穴部と、これに挿入される配管との施工上のバラツキ、及び「ウォーターハンマー現象」が発生しても効果的に吸収される。更に、請求項４の発明は、補強板金は、これが埋設される座板部の形状に対応したリング状になっているために、座板部の全体にわたる耐変形力が大きくなって、パネルとの間の止水性が一層に高まる。
【０００９】
また、請求項５及び６の各発明のように、座板部の裏面の周縁部に、パネルに密着する環状のリップを設けたり、或いは前記座板部の裏面に、止水部材本体部の基端開口部を外周側から囲むようなリング状の突起を設けると、パネルに対して座板部が線状に密着する構成となって、全面密着に比較して止水性が高まると共に、座板部とパネルとの間にシーリング材を充填する場合には、このシーリング材が周囲に漏れるのを防ぎ、座板部とパネルとの間の止水性が更に高められる。更に、請求項７の発明のように、止水部材本体部の基端開口部の外側に一体成形される座板部を、床パネルに密着される水平座板部と、壁パネルに密着される垂直座板部とが一体に設けられた構成にすると、壁パネルに近接させて床パネルから配管を立ち上げる場合において、その止水性を高めることができる。
【００１０】
【発明の実施の形態】
以下、床パネルに配管を立ち上げる実施例を挙げて、本発明を更に詳細に説明する。図１は、本発明に係る止水部材Ｓ1 を使用して、床パネルＦに設けられた配管穴部Ｈを止水した状態のユニットバスＢの斜視図であり、図２は、同じく断面図であり、図３は、同じく２本の配管Ｐ1,Ｐ2 の立上り部の部分斜視図であり、図４は、同じく縦断面図であり、図５は、止水部材Ｓ1 の一部を破断した斜視図であり、図６は、止水部材Ｓ1 を底面側から見た斜視図である。最初に、止水部材Ｓ1 の構成について説明し、その後に、この止水部材Ｓ1 を使用して、ユニットバスＢの床パネルＦに形成された配管穴部Ｈを止水する構造について説明する。
【００１１】
止水部材Ｓ1 は、ゴム等の弾性材で成形されていて、図４ないし図６に示されるように、緩やかな段付円錐筒状をした止水部材本体部１１と、該本体部１１の下端開口部の外周側に一体成形された円形の座板部１２とから成る。止水部材本体部１１の上端開口部１１ａは、開口端の僅かに内側の部分から該開口端に向けて、その肉厚が他の部分に比較して急激に厚くなっている。また、上端開口部１１ａの内径は、該部分に挿通される給水管Ｐ1(給湯管Ｐ2)の外径よりも僅かに小さくなっていて、止水部材Ｓ1 の上端開口部１１ａは、その内径が僅かに大きくなるように弾性変形されて、その内周面が給水管Ｐ1(給湯管Ｐ2)の外周面に密着するようになっている。また、座板部１２には、リング状をした補強板金１３がインサートされていて、その裏面の周縁部には、全周に亘ってリング状のリップ１４が設けられていると共に、その裏面における前記止水部材本体部１１の下端開口よりも僅かに外側の部分には、リング状の突起１５が設けられている。また、座板部１２には、その周方向に沿って等間隔をおいて複数個（実施例では４個）のビス挿通穴１６が前記補強板金１３を貫通して設けられており、座板部１２の上面においては、前記ビス挿通穴１６の周囲の弾性材は、円形に剥離されて、ビス２０の頭部２０ａが直接に補強板金１３に当接するようになっている。
【００１２】
一方、図１及び図２において、ユニットバスＢは、浴槽１の側方に洗い場２が設けられ、該洗い場２を構成する床パネルＦを含めて全ての床パネルの周縁に壁パネルＷが設置され、前記床パネルＦは、支持台３を介して支持されている。前記洗い場２における壁パネルＷに接する部分には、カウンター４が設けられ、該カウンター４の側板部４ａの手前側に湯水混合栓５が配置されている。この湯水混合栓５には、給水管Ｐ1 と給湯管Ｐ2 との２本の配管が接続されていて、この給水管Ｐ1 及び給湯管Ｐ2 は、いずれも前記カウンター４内に配置されている。また、給水管Ｐ1 及び給湯管Ｐ2 は、いずれも前記床パネルＦに設けられた各配管穴部Ｈに貫通されて、立ち上がっており、各配管穴部Ｈと、前記給水管Ｐ1 及び給湯管Ｐ2 の立上り部が前記止水部材Ｓ1 で止水されている。また、湯水混合栓５と直接に接続されている給水管Ｐ1'及び給湯管Ｐ2'と、前記給水管Ｐ1 及び給湯管Ｐ2 とは、別の管であって、それぞれ継手６を介して接続されている。なお、図２において、７は、前記カウンター４の手前側開口を覆うスカート板を示す。
【００１３】
そして、図３及び図４に示されるように、床パネルＦにおける配管穴部Ｈの周囲は、他の部分よりも僅かに低く成形されていて、止水部材Ｓ1 の座板部１２は、床パネルＦの前記した低い部分に一体に取付けられる。即ち、止水部材Ｓ1 を構成する座板部１２のリップ１４と突起１５との間の環状部分にシーリング材１０を所定厚で塗布しておいて、配管穴部Ｈに貫通させて垂直にした給水管Ｐ1(給湯管Ｐ2)を止水部材本体部１１の下端開口から上端開口に向けて差し込んでおいて、止水部材Ｓ1 の前記座板部１２を床パネルＦの上面に密着させ、各ビス挿通穴１６に挿通したビス２０を床パネルＦにねじ込み締付けると、前記シーリング材１０を挟んでパネルＦに座板部１２が一体に取付けられる。このように、座板部１２の裏面に形成されたリング状のリップ１４と突起１５とが床パネルＦの上面に密着すると共に、該座板部１２の裏面と床パネルＦとの間にシーリング材１０が介在され、しかも該シーリング材１０は、座板部１２の裏面に設けられたリング状のリップ１４と突起１５とによって外部に漏れない構造になっているために、止水部材Ｓ1 の下端部におけるユニットバス内外の水密が高く保持される。
【００１４】
また、止水部材Ｓ1 の本体部１１の上端開口部１１ａの内径は、該部分に挿通される給水管Ｐ1(給湯管Ｐ2)の外径よりも僅かに小さくなっていて、前記給水管Ｐ1(給湯管Ｐ2)の挿通によって、その上端開口部１１ａは、その内径が僅かに大きくなるように弾性変形されて、その内周面が前記給水管Ｐ1(給湯管Ｐ2)の外周面に密着するようになっている。このため、止水部材Ｓ1 の上端部におけるユニットバスＢの内外の水密も高く保持される。なお、止水部材Ｓ1 の本体部１１の上端開口部１１ａを締め具３０によって、強く締め付けると、止水部材Ｓ1 の上端部における前記水密性は一層高く保持される。
【００１５】
また、止水部材Ｓ1 は、ゴム等の弾性材で成形されていて、その止水部材本体部１１は、可撓性を有しているために、床パネルＦに設けられた配管穴部Ｈに対する給水管Ｐ1(給湯管Ｐ2)の挿入位置のバラツキが効果的に吸収されると共に、前記「ウォーターハンマー現象」が生じて、給水管Ｐ1(給湯管Ｐ2)が揺動しても、前記揺動は、可撓性を有する止水部材本体部１１によって効果的に吸収される。
【００１６】
引き続いて、図７ないし図１０を参照にして、本発明の別の止水部材Ｓ2 について説明する。この止水部材Ｓ2 は、床パネルＦと壁パネルＷの双方に対して密着する座板部を備えていることに特徴を有する。止水部材Ｓ2 は、図８ないし図１０に示されるように、前記止水部材本体部１１とほぼ同一形状の止水部材本体部２１の下端開口部に、床パネルＦに密着する方形状の水平座板部２２が一体成形されて、該水平座板部２２の一辺に、壁パネルＷに密着する略方形状の垂直座板部２３が一体成形された構成である。
【００１７】
また、図８ないし図１０に示されるように、水平及び垂直の各座板部２２，２３には、いずれも全体形状と僅かに相似小形の補強板金２４，２５が埋設され、各座板部２２，２３の上面及び内側面においては、該補強板金２４，２５は、その周縁部がフランジ部２６ａ，２６ｂで覆われて、残りの部分は、露出している。なお、各補強板金２４，２５は、直角に折り曲げられた状態で連続している。また、各座板部２２，２３の裏面及び外側面においては、互いに直交する２つの面に跨がる周縁部にリップ２７ａ，２７ｂがそれぞれ連続して設けられていると共に、該リップ２７ａ，２７ｂの内側の部分に突起２８ａ，２８ｂがそれぞれ連続して設けられている。これらのリップ２７ａ，２７ｂ及び突起２８ａ，２８ｂは、それぞれ床パネルＦ及び壁パネルＷに密着して、止水性を高める機能と、各座板部２２，２３と床パネルＦ及び壁パネルＷとの間に充填されたシーリング材１０が周囲に漏れるのを防止する機能とを有している。なお、各座板部２２，２３には、それぞれ複数のビス挿通穴２９が設けられている。
【００１８】
そして、上記止水部材Ｓ2 は、床パネルＦの上面に直接に壁パネルＷが立設されて、床パネルＦにおける前記壁パネルＷに近接した位置に配管穴部Ｈが設けられている場合に使用される。即ち、止水部材Ｓ2 を構成する水平及び垂直の各座板部２２，２３の裏面及び外側面において、水平座板部２２の突起２８ａで囲まれる部分のみを除いて、残りの部分にシーリング材１０を所定厚で塗布しておいて、配管穴部Ｈに貫通させて垂直にした給水管Ｐ1(給湯管Ｐ2)を止水部材本体部２１の下端開口から上端開口に向けて差し込んでおいて、図７及び図８に示されるように、止水部材Ｓ2 の水平及び垂直の各座板部２２，２３を床パネルＦ及び壁パネルＷにそれぞれ密着させて、各ビス挿通穴２９に挿通したビス２０を床パネルＦ及び壁パネルＷにそれぞれねじ込むと、止水部材Ｓ2 の水平及び垂直の各座板部２２，２３は、シーリング材１０を介してそれぞれ床パネルＦ及び壁パネルＷに取付けられる。このように、本実施例の止水部材Ｓ2 によれば、配管穴部Ｈが壁パネルＷに近接して設けられている場合において、この配管穴部Ｈと、これに挿通される給水管Ｐ1(給湯管Ｐ2)の立上り部とを、高い止水性でもって止水可能となる利点がある。
【００１９】
引き続いて、図１１ないし図１６を参照にして、本発明に係る更に別の止水部材Ｓ3 〜Ｓ8 について説明する。本発明に係る止水部材は、配管の立上り部の周囲を囲んで、その上端開口部の内周面が前記配管に対して水密を保持して密着する略筒状となった止水部材本体部と、前記止水部材本体部の下端開口部において、これと一体成形されて、シーリング材を介して床パネルに対して水密を保持して一体に取付けられる座板部とから成るものであるが、図１１ないし図１６においては、各止水部材Ｓ3 〜Ｓ8 を構成する止水部材本体部のみが図示されている。この止水部材本体部は、配管の外周面に水密を保持して密着することと、施工上のバラツキ、或いは「ウォーターハンマー現象」が生じた場合に吸収可能なように、その全体が可撓性を有している。
【００２０】
即ち、図１１に示される止水部材Ｓ3 の本体部３１は、ドーム部３２の上端部に円錐筒部３３が一体に設けられた形状であって、ドーム部３２が可撓性を有している。図１２に示される止水部材Ｓ4 の本体部４１は、その全体が可撓性を有する円錐筒状をしている。図１３に示される止水部材Ｓ5 の本体部５１は、円筒部５２の上端部に円錐筒部５３が一体成形された形状であって、その全体が可撓性を有している。図１４に示される止水部材Ｓ6 の本体部６１は、その上端開口部が円錐筒状になっていて、残りの部分は蛇腹状となった構成であって、この蛇腹構造によって、高い可撓性が確保される。図１５に示される止水部材Ｓ7 は、その本体部７１の全体が蛇腹構造の円錐筒状をしており、円錐筒状の形状自体と、蛇腹構造との相乗によって、一層高い可撓性が確保される。更に、図１６に示される止水部材Ｓ8 は、その本体部８１の各部分に段部が設けられた段付円錐筒状をしており、円錐筒状の形状自体と、段付構造との相乗によって、一層高い可撓性が確保される。
【００２１】
なお、上記実施例は、床パネルから配管が立ち上がる場合であるが、壁パネルから配管が水平に突出する場合においても、本発明は実施可能である。
【００２２】
【発明の効果】
このように、本発明に係る止水部材は、座板部の内部に補強板金が埋設されて座板部全体の耐変形力が大きくなっていて、座板部がパネルに密着すると共に、その止水部材本体部の先端開口部の内周面が配管の外周面に水密を保持して密着するために、座板部とパネルとの間の止水性が高まって、ユニットバスの配管廻りの止水を防止することができると共に、パネルの配管穴部と、これに挿通される配管との施工のバラツキがあったり、或いは「ウォーターハンマー現象」により配管が揺動しても、止水部材本体部が可撓性を有しているために、前記した施工上のバラツキ等や揺動は効果的に吸収される。
【図面の簡単な説明】
【図１】  本発明に係る止水部材Ｓ1 を使用して、床パネルＦに設けられた配管穴部Ｈを止水した状態のユニットバスＢの斜視図である。
【図２】  同じく断面図である。
【図３】  ２本の給水管Ｐ1 及び給湯管Ｐ2 の立上り部の部分斜視図である。
【図４】  同じく縦断面図である。
【図５】  止水部材Ｓ1 の一部を破断した斜視図である。
【図６】  止水部材Ｓ1 を底面側から見た斜視図である。
【図７】  止水部材Ｓ2 によって止水された２本の給水管Ｐ1 及び給湯管Ｐ2 の立上り部の部分斜視図である。
【図８】  同じく縦断面図である。
【図９】  止水部材Ｓ2 の斜視図である。
【図１０】  同じく底面側から見た斜視図である。
【図１１】  止水部材Ｓ3 の本体部３１の縦断面図である。
【図１２】  止水部材Ｓ4 の本体部４１の縦断面図である。
【図１３】  止水部材Ｓ5 の本体部５１の縦断面図である。
【図１４】  止水部材Ｓ6 の本体部６１の縦断面図である。
【図１５】  止水部材Ｓ7 の本体部７１の縦断面図である。
【図１６】  止水部材Ｓ8 の本体部８１の縦断面図である。
【図１７】  従来の配管廻りの止水方法の施工途中を示す斜視図である。
【図１８】  従来方法により施工された配管廻りの縦断面図である。
【符号の説明】
Ｂ：ユニットバス
Ｆ：床パネル（パネル）
Ｈ：配管穴部
Ｐ1 ：給水管（配管）
Ｐ2 ：給湯管（配管）
Ｓ1 〜Ｓ8 ：止水部材
Ｗ：壁パネル（パネル）
11,21,31,41,51,61,71,81 ：止水部材本体部
１２：座板部
１３，２４，２５：補強板金
１４，２７ａ，２７ｂ：リップ
１５，２８ａ，２８ｂ：突起
２２：水平座板部
２３：垂直座板部
【図１】
0003688557.tif 000002
【図２】
0003688557.tif 000003
【図３】
0003688557.tif 000004
【図４】
0003688557.tif 000005
【図５】
0003688557.tif 000006
【図６】
0003688557.tif 000007
【図７】
0003688557.tif 000008
【図８】
0003688557.tif 000009
【図９】
0003688557.tif 000010
【図１０】
0003688557.tif 000011
【図１１】
0003688557.tif 000012
【図１２】
0003688557.tif 000013
【図１３】
0003688557.tif 000014
【図１４】
0003688557.tif 000015
【図１５】
0003688557.tif 000016
【図１６】
0003688557.tif 000017
【図１７】
0003688557.tif 000018
【図１８】
0003688557.tif 000019